(57)【要約】【課題】  敵などが近くにいる場合でもその位置を知らせずに地図などの参照が可能となり、さらには敵がいるような場所でも敵に知られずに帰還できるような特殊なマーキングを可能とする警棒の提供を目的とする。【解決手段】  本発明の警棒は、略棒状の警棒本体と、前記警棒本体の一部に搭載され近紫外線を発生させる近紫外線光源と、前記警棒本体の一部に搭載され前記近紫外線光源を照射することで蛍光を示す蛍光物質を放出する蛍光物質放出部とを有することを特徴とする。本発明に警棒に形成される近紫外線光源で発生する近紫外線では、可視光ほどは認識されないことから夜間などでも敵に探知されるおそれが低減される。【選択図】  図１
2007132595.tif 000002
【特許請求の範囲】
【請求項１】
略棒状の警棒本体と、
前記警棒本体の一部に搭載され近紫外線を発生させる近紫外線光源と、
前記警棒本体の一部に搭載され照明として用いられる照明用光源とを有することを特徴とする警棒。
【請求項２】
略棒状の警棒本体と、
前記警棒本体の一部に搭載され近紫外線を発生させる近紫外線光源と、
前記警棒本体の一部に搭載され前記近紫外線光源を照射することで蛍光を示す蛍光物質を放出する蛍光物質放出部とを有することを特徴とする警棒。
【請求項３】
前記警棒本体の一部に搭載され照明として用いられる照明用光源を更に有することを特徴とする請求項２記載の警棒。
【請求項４】
前記照明用光源と前記近紫外線光源は共に発光ダイオードからなることを特徴とする請求項３記載の警棒。
【請求項５】
前記蛍光物質放出部は、警棒本体の把持部近傍に形成されたスイッチと、該スイッチの操作に応じて液状の前記蛍光物質を出力させる蛍光出力機構部とからなることを特徴とする請求項２記載の警棒。
【請求項６】
略棒状の警棒本体と、
前記警棒本体の一部に搭載され近紫外線を発生させる近紫外線光源と、
他の警棒を当該警棒の長手方向に延長するように接続するための接続部とを有することを特徴とする警棒。
【請求項７】
前記警棒本体の一部に搭載され照明として用いられる照明用光源を更に有することを特徴とする請求項６記載の警棒。
【請求項８】
前記照明用光源と前記近紫外線光源は共に発光ダイオードからなることを特徴とする請求項７記載の警棒。
【請求項９】
伸縮自在となるように複数の筒状部材を同心状に重なるように配した警棒本体と、
前記警棒本体の一部に搭載され近紫外線を発生させる近紫外線光源とを有することを特徴とする警棒。
【発明の詳細な説明】
【技術分野】
【０００１】
本発明は、警察官、自衛隊員、兵隊員などの警備、護衛、戦闘などの任務を遂行する場合に護身用や制圧用に使用する警棒に関する。
【背景技術】
【０００２】
従来より、警察官、自衛隊員、兵隊員などの警備、護衛、戦闘などを行う者が使用する道具の１つとして警棒が知られており、警棒は例えば敵や容疑者、暴徒などを制圧する場合に使用し、相手に対して警棒による打撃を加えたり、警棒を持っていることによる威嚇により攻撃を防ぐなどの用途がある。
【０００３】
近年では、山岳地帯での侵入者に対する警備、追跡活動、或いは海外紛争における後方支援など、市街地だけではなく、警棒が使用される環境も様々なものとなってきており、例えば夜間における交通整理、検問などの目的で誘導灯を備えた構造の警棒も知られている。このような警棒の一例として、使用時先端側に位置する透明なポリカーボネート樹脂の筒体内部に発光ダイオード （ＬＥＤ）等で形成した発光体を内接し、グリップとなる筒体の先にサーチライトとして使用する小型ライトを内蔵した多目的警棒も知られており、このような警棒は停止合図等に用いる誘導ライト、検問時等に使用するサーチライト等としても使用できる（例えば、特許文献１参照。）。
【０００４】
【特許文献１】特開2002-048493号公報
【発明の開示】
【発明が解決しようとする課題】
【０００５】
ところが、夜間での紛争地域の前線活動や、山中に潜む敵を夜間に追跡する場合においては、こちらの位置を確認するために地図などを取り出して、その地図を携帯ランプや前述のライト付き警棒などで照らす必要がある場合がある。しかしながら、敵前で迂闊に発光体を点灯させることは、その位置を敵に知らせることになり、銃撃戦の様相を呈していながら自身の位置を敵に知らせた場合には銃弾の標的となり得る事態を招くことになる。
【０００６】
また、特に海外派兵された場合では、土地勘の全くない場所を警戒しながら進軍することもあり、道に迷わないようにするためには、所要の道しるべを付加しながら移動することも考えられるが、このような道しるべは敵に位置を知らせる手がかりともなってしまうため、迂闊な道しるべは事態の悪化や生命の危険を招くことになる。
【０００７】
そこで、本発明は上述の技術的な課題に鑑み、敵などが近くにいる場合でもその位置を知らせずに地図などの参照が可能となり、さらには敵がいるような場所でも敵に知られずに帰還できるような特殊なマーキングを可能とする警棒の提供を目的とする。
【課題を解決するための手段】
【０００８】
上述の技術的な課題を解決するため、本発明の警棒は、略棒状の警棒本体と、前記警棒本体の一部に搭載され近紫外線を発生させる近紫外線光源と、前記警棒本体の一部に搭載され前記近紫外線光源を照射することで蛍光を示す蛍光物質を放出する蛍光物質放出部とを有することを特徴とする。
【０００９】
また、本発明の警棒は、前記警棒本体の一部に搭載され照明として用いられる照明用光源を更に有するように構成することもでき、前記照明用光源と前記近紫外線光源は共に発光ダイオードからなる構成とすることも可能である。また、本発明の警棒においては、前記蛍光物質放出部は、警棒本体の把持部近傍に形成されたスイッチと、該スイッチの操作に応じて液状の前記蛍光物質を出力させる蛍光出力機構部とからなる構造としても良い。
【００１０】
また、本発明の他の警棒は、略棒状の警棒本体と、前記警棒本体の一部に搭載され近紫外線を発生させる近紫外線光源と、他の警棒を当該警棒の長手方向に延長するように接続するための接続部とを有することを特徴とする。
【００１１】
このような本発明の警棒においては、前記警棒本体の一部に搭載され照明として用いられる照明用光源を更に有する構造とすることもでき、前記照明用光源と前記近紫外線光源は共に発光ダイオードからなる構成としても良い。
【００１２】
さらに他の本発明の警棒は、伸縮自在となるように複数の筒状部材を同心状に重なるように配した警棒本体と、前記警棒本体の一部に搭載され近紫外線を発生させる近紫外線光源とを有することを特徴とする。
【発明の効果】
【００１３】
本発明の警棒によれば、警棒本体の一部に近紫外線を発生させる近紫外線光源を搭載していることから、例えば近紫外線照射により蛍光を示すインク等を用いて線図を表した地図に対して光を照射することで、周囲に敵に探知させるほどの可視光を漏らすことなく、該地図を参照することができる。
【００１４】
また、本発明の、蛍光を示す蛍光物質を放出する蛍光物質放出部を具備する警棒を用いることで、近紫外線光源を照射したときだけ、蛍光を発するような道しるべを設けながら移動することができ、見知らぬ土地での帰還に便利であり、特に敵に道しるべを辿られて攻撃を受けてしまうようなことも未然に防止できる。
【発明を実施するための最良の形態】
【００１５】
本発明の好適な実施形態にかかる警棒を図面を参照しながら説明する。
【００１６】
図１は、本発明の第１の実施形態の警棒を示す斜視図である。図１に示すように、本実施形態の警棒１０は、ステンレスなどの金属材料や比較的に硬質な合成樹脂やセラミックなどから略円筒形状の警棒本体１１と、該警棒本体１１の基端部１３から弧を描くように延長された強化プラスチック製の把持部１２が形成されており、警棒本体１１の先端側には、スリット状に開口した部分から照明用の光を射出する照明用光源１６と、近紫外線を発生させる近紫外線光源１７が設けられている。
【００１７】
警棒本体１１の基端部１３の外周面に臨むように、前述の把持部１２に加えて使用者の親指などにより操作される切り替えスイッチ１４及び信号タッチセンサ１５が設けられている。切り替えスイッチ１４は、電源オフの状態および点灯すべき光源を照明用の光を射出する照明用光源１６と近紫外線を発生させる近紫外線光源１７との間で選択的に切り替えるためのスイッチであり、図示のようにスライド式でも良く、押圧式のボタンなどを用いたスイッチであっても良い。信号タッチセンサ１５は、切り替えスイッチ１４によって選択されている光源を点滅させるためのセンサーであり、親指などの使用者の指により、オンオフの切り替え操作が可能である。
【００１８】
警棒本体１１は、所要の剛性を備えた棒状部材であり、被疑者や敵などを制圧する場合には振り回す必要性も生じ、戦闘地域での携帯の必要性からも比較的に軽量であることが好ましいが、制圧の際に相手を押さえ付けたり、ダメージを打撃により与える用途にも使用されるため、適度の重量を有している。また、警棒本体１１の長さは一例として数十センチメートルから１メートル程度の長さとされ、携帯性と共に操作性も考慮された長さとされる。
【００１９】
警棒本体１１の基端部１３の外周面に臨むように形成された把持部１２は、被疑者や敵などを制圧する場合などでは、手を挿通させながら強く握って振り回すことができるものであり、強化プラスチックなどの材料で構成されるが、警棒本体１１の一部を延在させて把持部１２を構成することもできる。
【００２０】
照明用の光を射出する照明用光源１６は、スリット状に開口部の内部に配置され、照明用光源１６の外側がポリカーカーボネートなどの耐衝撃性の強いカバー用合成樹脂材で覆われ、該カバー用合成樹脂材の内側に白色その他の発光色を有する発光ダイオードが設けられている。同様に、照明用の光を射出する照明用光源１６よりも更に先の警棒本体１１の先端部には、耐衝撃性の強いカバー用合成樹脂材に覆われる形で近紫外線を発生させる近紫外線光源１７が設けられている。この近紫外線光源１７は、略中心部分に所謂ブラックライトと称される近紫外線を発光波長とする発光ダイオードを内蔵しており、信号タッチセンサ１５や切り替えスイッチ１４の操作に応じて発光可能である。
【００２１】
このような警棒本体１１の内部には、充電式電池若しくは乾電池などの電源が搭載される。この電源によって、照明用光源１６と近紫外線光源１７の両方が点灯するように制御される。これら照明用光源１６と近紫外線光源１７はそれぞれ発光ダイオードを光源とするために、従来の電球を用いた場合に比較して消費電力を少なく抑えることが可能である。
【００２２】
本実施形態の警棒１０の使用例について説明すると、被疑者や敵などを制圧する場合には把持部１２辺りを持って振り回すことができる点については前述のとおりであるが、特に本実施形態の警棒１０は照明用光源１６と近紫外線光源１７を選択的に点灯させて所要の用途に使用することができる。例えば、夜間照明や誘導などの目的で点灯させる場合には、可視光である照明用光源１６を点灯し、あるいは可視光を点滅させることで信号を送る場合には照明用光源１６を選択した状態で、信号タッチセンサ１５を操作して照明用光源１６をオンオフ操作することができる。
【００２３】
近紫外線光源１７を使用する場合には、当該近紫外線光源１７からの近紫外線光を照射した場合に蛍光を示すような物質をインクとして作成された印刷物などを参照することができる。例えば、戦闘地域においては、夜間や暗いところで作戦を展開する必要が生ずることもあり、暗いところで通常の地図を開いて参照している場合にはその照明が敵に漏れ伝わることもあり、その時には居場所を教えるものとなって大変危険である。近紫外線光源１７からの近紫外線は、やや青みがかった光とされるが、可視光として検知される光量は照明用光源１６の可視光と比較して十分に弱く、近紫外線光源１７からの近紫外線が敵に漏れ伝わることは極力防止されることになる。すなわち、周囲に光を極力漏らすことなく、警棒１０から発生した近紫外線は、蛍光を示す物質をインクとして作成された印刷物の表面で、所要の蛍光色を発生させ、地図を可視化する。従って、不用意に敵に居場所を教えるようなことは未然に防止され、暗いところでの活動を円滑に進めることができる。
【００２４】
図２乃至図４は本発明の第２の実施形態の警棒２０を示す図である。本実施形態の警棒２０は、ステンレスなどの金属材料や比較的に硬質な合成樹脂やセラミックなどから略円筒形状の警棒本体２１と、警棒本体２１の基端部２３側に形成されたグリップ部２２と、警棒本体２１の先端部２４に形成された射出孔２５を有する光源部２６とを有している。
【００２５】
本実施形態の警棒２０は、グリップ部２２を同軸に配設された警棒本体２１に対して回動させることで、光源部２６の点灯を制御することができ、電源オフの位置から一方向に回動させた際には、内蔵された可視光の発光ダイオードを点灯させ、電源オフの位置から前記一方向とは反対の方向に回動させた際には、内蔵された近紫外線の発光ダイオードを点灯させるように構成されている。このグリップ部２２には、一部に突設するように設けられたボタン２７が設けられている。このボタン２７は、押圧操作することで、警棒本体２１の先端部２４に形成された射出孔２５から蛍光物質インク２８を射出するためのものであり、射出孔２５から射出された蛍光物質インク２８は例えば帰路を示すための道しるべなどに使用される。グリップ部２２の端部には、当該警棒２０を吊して支持させるための紐部２９も形成されている。
【００２６】
本実施形態の警棒２０には、光源部２６に可視光用の発光ダイオードと近紫外線発光用の発光ダイオードの二種類の発光素子が形成されており、前述の如きグリップ部２２の回動操作により、それらの点灯を制御することができる。可視光用の発光ダイオードと近紫外線発光用の発光ダイオードはそれぞれ１つずつ形成されていても良く、複数個設けられていても良い。また、一つのダイオードなどの発光素子に印加する電圧を変えて可視光と近紫外線光を選択的に発光させるように制御しても良い。本実施形態の警棒２０の内部には、充電式電池若しくは乾電池などの電源が搭載される。この電源によって、光源部２６が点灯するように制御される。
【００２７】
図３は本実施形態の警棒２０の回路などの構成図を示しており、電源３１は、グリップ部２２の回動動作に応じて開閉動作するスイッチ３２を介してＬＥＤ駆動部３４に接続され、このＬＥＤ駆動部３４は可視光用の発光ダイオード３５と近紫外線発光用の発光ダイオード３６とに接続され、これらの発光ダイオード３５，３６を選択的に点灯するように制御する。また、ボタン２７の押圧動作に連動するように構成されたスイッチ３９により内部に保持されているガスプロペラント部３３には、ガスの流出路が形成され、そのガスの流出路に蛍光塗料部３７から蛍光物質インクを混在させている。従って、ボタン２７の押圧動作によって、高圧にガスを貯めているガスプロペラント部３３から所要のガスが射出始め、警棒は蛍光塗料部３７からの蛍光物質インクをガスに巻き込んで噴霧できることになり、液滴の形で射出孔２５に供給された蛍光物質インク２８はそのままガスと共に警棒２０の外部に噴霧されていくことになる。
【００２８】
図４は、本実施形態の警棒２０の使用状態を示す斜視図である。使用者がグリップ部２２を握りながらボタン２７を押圧操作することで、当該警棒２０の先端のノズルとして機能する射出孔２５から、蛍光物質インク２８が射出される。この蛍光物質インク２８は、人工着色の目立たない例えば透明などの樹脂被膜を形成するものであり、見知らぬ土地などで道しるべとして進行する道の脇にある建物、岩石や植物などにマーキングする用途に用いられ、例えば明るいところや昼間に限らず夜間や暗いところで帰路を辿る場合にも、ＬＥＤ駆動部３４によって駆動される発光ダイオード３６から発生する近紫外線を照射することで、蛍光による発色が可能であり、近紫外線による照射機能を有しない相手に対しては帰路で待ち伏せされるようなリスクを軽減することができる。
【００２９】
図５乃至図７は、他の実施形態の警棒を示す図である。図５に示すように、一対の警棒本体４１，４２にはそれぞれ光源部４３，４４が設けられており、これら光源部４３，４４には図示しないそれぞれ可視光用の発光ダイオードと近紫外線発光用の発光ダイオードの二種類の発光素子が形成されている。光源部４３，４４の端部は連結用の凹部が形成されており、警棒本体４１，４２の他端には連結用の凸部が形成されている。これらの凹部と凸部を嵌合させた状態を示すのが図６である。これら光源部４３，４４が設けられた一対の警棒本体４１，４２は、攻撃や護身用などの目的でそれぞれステンレスなどの金属材料や比較的に硬質な合成樹脂やセラミックなどの剛性を有する材質で構成されており、連結してもなお十分な強度を有している。
【００３０】
このような連結用の部材を伴う本実施形態の警棒は、図７に示すように、警棒本体４８が軽さと十分な強度を有することから、野営用のテント４５の支柱の一部として使用することが可能であり、例えば、警棒の光源部４７はランプの代わりの照明部材として利用できることになる。なお、警棒同士の連結は、一例として凹凸部を組み合わせるものとしたが、これに限らず、チャック式やネジ式など周知の機械要素の結合手段を広く適用できるものである。また、警棒を連結したものは、テント４５の天井側に水平に配されるフレームの代わりや該フレームと共に用いることも可能である。
【００３１】
図８は伸縮自在の警棒５０の例であり、警棒５０は複数の筒状部材を同心状に重なるように配した警棒本体５１ａ，５１ｂ，...を有し、この同心状に重なる部分によって伸縮自在とされる。警棒５０の基端部側にはグリップ部５３が形成され、警棒５０の先端部側にはそれぞれ可視光用の発光ダイオードと近紫外線発光用の発光ダイオードの二種類の発光素子が形成される光源部５２が形成される。このような伸縮自在の警棒を用いることで、離れた部分の近紫外線による照射も可能とされる。
【００３２】
なお、上述の実施形態では、警棒は円筒状のものを例示したが、角棒状や曲がった形状のものであっても良い。また、近紫外線発光用の発光ダイオードを警棒の先端部に取り付けるものとして説明したが、これに限らず、警棒本体の途中や基端部などに近紫外線発光用の発光ダイオードや照明用の発光ダイオードを設けても良い。また、発光素子として発光ダイオードを用いる構成としたが、半導体レーザーなどの他の発光素子を利用することも可能である。
【図面の簡単な説明】
【００３３】
【図１】本発明の第１の実施形態の警棒を示す斜視図である。
【図２】本発明の第２の実施形態の警棒を示す斜視図である。
【図３】本発明の第２の実施形態の警棒の回路等を示す構成図である。
【図４】本発明の第２の実施形態の警棒の使用例を示す斜視図である。
【図５】本発明の第３の実施形態の警棒を示す斜視図である。
【図６】図５に示した警棒を連結したところを示す斜視図である。
【図７】本発明の第３の実施形態の警棒をテントに使用したところを示す斜視図である。
【図８】本発明の第４の実施形態の警棒を示す斜視図である。
【符号の説明】
【００３４】
１０  警棒
１１  警棒本体
１２  把持部
１４  切り替えスイッチ
１５  信号タッチセンサ
１６  照明用光源
１７  近紫外線光源
２０  警棒
２１  警棒本体
２２  グリップ部
２５  射出孔
２６  光源
２７  ボタン
２８  蛍光物質インク
３１  電源
３２  スイッチ
３３  ガスプロペラント部
３４  ＬＥＤ駆動部
３５  可視光用の発光ダイオード
３６  近紫外線発光用の発光ダイオード
３７  蛍光塗料部
４１  警棒本体
４２  警棒本体
４３  光源
４４  光源
４７  光源
４８  警棒本体
５０  警棒
５１a, ５１ｂ  警棒本体
５２  光源
５３  グリップ部
【図１】
2007132595.tif 000003
【図２】
2007132595.tif 000004
【図３】
2007132595.tif 000005
【図４】
2007132595.tif 000006
【図５】
2007132595.tif 000007
【図６】
2007132595.tif 000008
【図７】
2007132595.tif 000009
【図８】
2007132595.tif 000010